(57)【要約】【課題】  鍵のタッチ感に悪影響を及ぼすことなく、単純な構成によって、レットオフのタイミングを明確にすることができるとともに、連打性を向上させることができ、これらにより、表現力に優れた高い演奏性を実現することができるピアノのアクションを提供する。【解決手段】  押鍵に伴ってハンマー３を回動させるピアノのアクション１であって、鍵４で突き上げられることにより回動するウィッペン６と、その上方の所定位置に固定され、下端にジャック当接面１７ａを有するレギュレティングボタン１７と、ウィッペン６に回動自在に設けられ、押鍵に伴ってジャック当接面１７ａに当接するレギュレティングボタン当接面８ａを有し、補強用の長繊維を含有する熱可塑性樹脂の成形品で構成されたジャック７と、を備え、ジャック当接面１７ａおよびレギュレティングボタン当接面８ａが平坦面で構成されている。【選択図】  図４
2006285175.tif 000002
【特許請求の範囲】
【請求項１】
鍵の押鍵に伴って作動し、ハンマーを回動させることにより打弦を行わせるピアノのアクションであって、
前記鍵の押鍵時に、当該鍵で突き上げられることによって上方に回動するウィッペンと、
下端にジャック当接面を有し、前記ウィッペンの上方の所定位置に固定されたレギュレティングボタンと、
上端にレギュレティングボタン当接面を有するレギュレティングボタン当接部を有し、前記ウィッペンにジャック支点を中心として回動自在に設けられ、前記ハンマーに係合するとともに、前記ウィッペンの回動に伴って前記ハンマーを突き上げ、当該回動中、前記レギュレティングボタン当接面が前記ジャック当接面に当接することによって、前記ウィッペンに対して回動し、前記ハンマーから離脱するジャックと、を備え、
前記ジャック当接面および前記レギュレティングボタン当接面が平坦面で構成されていることを特徴とするピアノのアクション。
【請求項２】
前記レギュレティングボタン当接面の角度は、当該レギュレティングボタン当接面が前記ジャック当接面に当接したときに面接触するように設定されていることを特徴とする、請求項１に記載のピアノのアクション。
【請求項３】
前記ジャック当接面および前記レギュレティングボタン当接面の少なくとも一方には、シート状の緩衝材が設けられており、
前記レギュレティングボタン当接面の角度は、当該レギュレティングボタン当接面が前記ジャック当接面に前記緩衝材を介して当接したときに、前記レギュレティングボタン当接面が前記ジャック支点側の端部において当接するとともに、前記レギュレティングボタン当接面が前記ジャック当接面に対して近接した状態で斜めに延びるように設定されていることを特徴とする、請求項１に記載のピアノのアクション。
【請求項４】
前記ジャックは、前記ジャック支点から上方に延びるとともに、前記ハンマーに係合するハンマー突上部を有しており、
当該ハンマー突上部の上面の前記レギュレティングボタン当接部と反対側の端部に、突起が設けられていることを特徴とする、請求項１ないし３のいずれかに記載のピアノのアクション。
【請求項５】
前記ジャックは合成樹脂の成形品で構成されていることを特徴とする、請求項１ないし４のいずれかに記載のピアノのアクション。
【請求項６】
前記ジャックは、長繊維法で成形され、補強用の長繊維を含有する熱可塑性樹脂の成形品で構成されていることを特徴とする請求項５に記載のピアノのアクション。
【請求項７】
前記長繊維は、炭素繊維であることを特徴とする請求項６に記載のピアノのアクション。
【請求項８】
前記熱可塑性樹脂は、ＡＢＳ樹脂であることを特徴とする請求項６または７に記載のピアノのアクション。
【発明の詳細な説明】
【技術分野】
【０００１】
本発明は、鍵の押鍵に伴って作動し、ハンマーを回動させることにより打弦を行わせるピアノのアクションに関する。
【背景技術】
【０００２】
従来のピアノのアクションとして、例えば特許文献１に開示されたものが知られている。図９は、このアクション５１の主要部分などを離鍵状態において示している。アクション５１は、アップライトピアノ用のもので、鍵５０の後端部（図９の左側を後ろ側とする）の上方に設けられており、鍵５０の後端部に載置されたウィッペン５２と、ウィッペン５２に回動自在に設けられたジャック５３と、ウィッペン５２の上方の所定位置に設けられたレギュレティングボタン５６を備えている。ジャック５３は、前後方向に延びるレギュレティングボタン当接部５４と、レギュレティングボタン当接部５４の後端部からほぼ直角に上方に延びるハンマー突上部５５とからＬ字形に形成され、両者５４，５５の角部において、ウィッペン５２に回動自在に支持されている。また、離鍵状態では、ハンマー突上部５５がハンマー６０のバット６１に係合するとともに、レギュレティングボタン当接部５４のレギュレティングボタン当接面５４ａがレギュレティングボタン５６に下方から対向しており、このレギュレティングボタン当接面５４ａは曲面で構成されている。バット６１には、ハンマーシャンク６２が上方に延びるように設けられ、このハンマーシャンク６２の上端部に、ハンマー６０のハンマーヘッド（図示せず）が設けられている。また、バット６１には、ハンマー６０を図９の時計方向に付勢するバットスプリング６１ａが設けられている。
【０００３】
このようなアップライトピアノの鍵５０を押鍵すると、ウィッペン５２は、鍵５０の後端部に突き上げられることによって上方に回動し、ジャック５３は、ウィッペン５２と一緒に上方に移動する。これにより、ハンマー６０は、バット６１を介してジャック５３により突き上げられることによって、バットスプリング６１ａの付勢力に抗して、鉛直に張られた後方の弦（図示せず）に向かって回動する。そして、ジャック５３のレギュレティングボタン当接部５４がレギュレティングボタン５６に当接することによって、ジャック５３の上方への移動が阻止される。ウィッペン５２の回動がさらに進むと、ジャック５３は、レギュレティングボタン５６から反力が作用した状態で、そのレギュレティングボタン当接部５４がレギュレティングボタン５６の下面に沿って摺動しながら、ウィッペン５２に対して回動する結果、ハンマー６０から離脱する。これにより、鍵５０のタッチ重さ（指先にかかる荷重）からハンマー６０の重量分が失われることによって、演奏者にレットオフ感が付与される。また、このジャック５３の離脱後、ハンマー６０は、慣性で回動し、弦を打弦する。
【０００４】
一般に、豊かな演奏表現のためには、ジャック５３がハンマー６０から離脱するタイミング、すなわちレットオフのタイミングを正確に把握し、ハンマー６０の打弦速度を細かく調整することが重要である。例えば、ピアニッシモのような弱音は、ハンマー６０を弦の付近まで一旦、回動させ、その状態からさらに回動させることにより、ハンマー６０の打弦速度を小さくすることによって得ることができる。すなわち、鍵５０を、ジャック５３がハンマー６０から離脱するレットオフ直前まで一旦、押鍵し、その状態から押し切ることによって、弱音を得ることができる。
【０００５】
これに対して、従来のアクションを適用したアップライトピアノでは、前述したように、ハンマーシャンク６２が上下方向に延びているために、ハンマー６０の重心がその回動支点に近い位置にあるので、ハンマー６０の自重による回動支点回りのモーメントは小さい。このため、レットオフ直前のタッチ重さであるレットオフ荷重は、比較的小さく、レットオフ前後のタッチ重さの変化量もまた小さいので、レットオフのタイミングを把握し難い。その結果、ハンマー６０の打弦速度を細かく調整し難いことによって、ピアノの表現力や演奏性が低くなってしまう。
【０００６】
また、豊かな演奏表現のためには、優れた連打性も要求される。グランドピアノの場合、ハンマーは、ほぼ水平に延びており、その重心は、ハンマーの一端部の回動支点から水平方向に大きな間隔を隔てたハンマーヘッド付近に位置している。このため、ハンマーは、上方の弦を打弦した後、ジャックによる再度の突上げ可能な位置まで、自重で速やかに復帰回動するので、グランドピアノは高い連打性を有している。これに対し、上述したアップライトピアノの場合、打弦後に、ハンマー６０を、バットスプリング６１ａの付勢力によって復帰回動させるため、ハンマー６０およびジャック５３が、ハンマー６０の再度の突上げ可能な状態まで復帰するのに比較的、時間を要するので、アップライトピアノの連打性はグランドピアノよりも低い。アップライトピアノの連打性を向上させるには、バットスプリング６１ａのばね力を高めることによって、ハンマー６０の復帰回動に要する時間を短くすることが考えられるが、その場合、ばね力を高めた分、ジャック５３でハンマー６０を突き上げる際の鍵５０のタッチ重さが大きくなり、その結果、タッチ感に悪影響を及ぼしてしまう。
【０００７】
本発明は、以上のような課題を解決するためになされたものであり、鍵のタッチ感に悪影響を及ぼすことなく、単純な構成によって、レットオフのタイミングを明確にすることができるとともに、連打性を向上させることができ、これらにより、表現力に優れた高い演奏性を実現することができるピアノのアクションを提供することを目的とする。
【０００８】
【特許文献１】特開平６−８３３２６号公報
【発明の開示】
【課題を解決するための手段】
【０００９】
上記の目的を達成するため、請求項１に係る発明は、鍵の押鍵に伴って作動し、ハンマーを回動させることにより打弦を行わせるピアノのアクションであって、鍵の押鍵時に、鍵で突き上げられることによって上方に回動するウィッペンと、下端にジャック当接面を有し、ウィッペンの上方の所定位置に固定されたレギュレティングボタンと、上端にレギュレティングボタン当接面を有するレギュレティングボタン当接部を有し、ウィッペンにジャック支点を中心として回動自在に設けられ、ハンマーに係合するとともに、ウィッペンの回動に伴ってハンマーを突き上げ、当該回動中、レギュレティングボタン当接面がジャック当接面に当接することによって、ウィッペンに対して回動し、ハンマーから離脱するジャックと、を備え、ジャック当接面およびレギュレティングボタン当接面が平坦面で構成されていることを特徴とする。
【００１０】
このピアノのアクションによれば、離鍵状態では、ジャックがハンマーに係合しており、この状態から鍵が押鍵されると、ウィッペンは、鍵で突き上げられることによって上方に回動し、ジャックはウィッペンと一緒に上方に移動する。これにより、ハンマーは、ジャックにより突き上げられることによって回動する。また、このウィッペンの回動中、ジャックのレギュレティングボタン当接面がレギュレティングボタンのジャック当接面に当接することによって、ジャックの上方への移動が阻止される。そして、ウィッペンの回動がさらに進むと、ジャックは、レギュレティングボタンから反力が作用した状態で、レギュレティングボタン当接部がジャック当接面に沿って摺動しながら、ウィッペンに対して回動し、その回動量が所定量に達したときに、ハンマーから離脱する。その後、ハンマーは、慣性で回動し、打弦を行う。
【００１１】
このように、ジャックは、レギュレティングボタンに当接した後、レギュレティングボタンから反力が作用した状態で、そのレギュレティングボタン当接部がジャック当接面に沿って摺動しながら、ウィッペンに対して回動する。このときのレギュレティングボタンの反力がジャックやウィッペンを介して鍵に伝達され、その分、タッチ重さが増大する。この場合、本発明では、レギュレティングボタン当接面およびジャック当接面がいずれも平坦面で構成されているため、レギュレティングボタン当接面とジャック当接面が面接触することによって、前述した従来のレギュレティングボタン当接面が曲面で構成される場合と比較して、両者の接触面積が大きくなり、その結果、レギュレティングボタン当接部とレギュレティングボタンとの間により大きな摩擦抵抗が発生する。これにより、レギュレティングボタン当接部がジャック当接面に沿って摺動し難くなり、ジャックが回動し難くなるので、ジャックやウィッペンを介して鍵に伝達されるレギュレティングボタンの反力が、ジャックが離脱するまでにより大きく増大する。これにより、レットオフ直前のタッチ重さ、すなわちレットオフ荷重が大きくなり、レットオフ前後のタッチ重さの変化量が大きくなることによって、レットオフのタイミングを明確にすることができる。そして、そのように明確化されたレットオフのタイミングに応じて、演奏者はハンマーの打弦速度を細かく調整できるので、表現力に優れた高い演奏性を実現することができる。また、以上の効果を、ジャック当接面およびレギュレティングボタン当接面を平坦面で構成するという単純な構成によって得ることができる。
【００１２】
請求項２に係る発明は、請求項１に記載のピアノのアクションにおいて、レギュレティングボタン当接面の角度は、レギュレティングボタン当接面がジャック当接面に当接したときに面接触するように設定されていることを特徴とする。
【００１３】
この構成によれば、レギュレティングボタン当接面は、ジャック当接面に当接したときに、これにぴったり当接し、確実に面接触した状態になる。これにより、レギュレティングボタン当接部とレギュレティングボタンとの間に大きな摩擦抵抗が発生するので、ジャックが回動し難くなり、レットオフ荷重が大きくなることによって、請求項１の効果を確実に得ることができる。
【００１４】
請求項３に係る発明は、請求項１に記載のピアノのアクションにおいて、ジャック当接面およびレギュレティングボタン当接面の少なくとも一方には、シート状の緩衝材が設けられており、レギュレティングボタン当接面の角度は、レギュレティングボタン当接面がジャック当接面に緩衝材を介して当接したときに、レギュレティングボタン当接面がジャック支点側の端部において当接するとともに、レギュレティングボタン当接面がジャック当接面に対して近接した状態で斜めに延びるように設定されていることを特徴とする。
【００１５】
この構成によれば、鍵の押鍵に伴うウィッペンの回動中、レギュレティングボタン当接部のレギュレティングボタン当接面が、ジャック当接面にシート状の緩衝材を介して当接することによって、ジャックがウィッペンに対して回動する。また、この当接時に、レギュレティングボタン当接面は、そのジャック支点側の端部において当接するとともに、ジャック当接面に対して近接した状態で斜めに延びるように、すなわち、ジャック当接面に対して微少な角度をもった状態で斜めに当接する。この場合、介在するシート状の緩衝材が圧縮されることによって、レギュレティングボタン当接面のジャック支点側の端部とその近傍を併せた部分が、ジャック当接面に緩衝材を介して面接触した状態になり、それにより、大きな摩擦抵抗が確保される。さらに、このように面接触することにより、面接触の中心、すなわちレギュレティングボタンからの反力の作用点が、ジャック支点に近い位置になり、その結果、ジャックを回動させるのに必要なレギュレティングボタンの反力がより大きくなる。以上のように、本発明によれば、面接触によって大きな摩擦抵抗が確保されることと、レギュレティングボタンの反力の作用点が請求項２の場合よりもジャック支点の近くに位置することによって、レットオフ荷重が大きくなり、したがって、請求項１の効果を確実に得ることができる。
【００１６】
請求項４に係る発明は、請求項１ないし３のいずれかに記載のピアノのアクションにおいて、ジャックは、ジャック支点から上方に延びるとともに、ハンマーに係合するハンマー突上部を有しており、ハンマー突上部の上面のレギュレティングボタン当接部と反対側の端部に、突起が設けられていることを特徴とする。
【００１７】
この構成によれば、鍵の押鍵に伴うジャックの回動に伴って、ジャック支点から上方に延びるハンマー突上部の上面が、ハンマーの下面に沿ってレギュレティングボタン側に摺動する。また、ハンマー突上部の上面のレギュレティングボタン当接部と反対側の端部には突起が設けられているので、上記のようにハンマーに沿って摺動する際、この突起が抵抗になることによって、ジャックがハンマーから外れ難くなる。これにより、レットオフ荷重がさらに大きくなることによって、レットオフのタイミングをさらに明確にすることができる。
【００１８】
請求項５に係る発明は、請求項１ないし４のいずれかに記載のピアノのアクションにおいて、ジャックは合成樹脂の成形品で構成されていることを特徴とする。
【００１９】
この構成によれば、ジャックを高い精度で成形でき、したがって、レギュレティングボタン当接面やハンマー突上部の突起を所望の形状に精度よく容易に形成できるとともに、ジャック当接面との位置や角度の関係も所望の関係に容易に設定できる。また、ジャックを合成樹脂で構成するので、加工精度および寸法安定性が高いという合成樹脂の利点を得ることができる。
【００２０】
請求項６に係る発明は、請求項５に記載のピアノのアクションにおいて、ジャックは、長繊維法で成形され、補強用の長繊維を含有する熱可塑性樹脂の成形品で構成されていることを特徴とする請求項５に記載のピアノのアクション。
【００２１】
この構成によれば、ジャックは、長繊維法で成形された、補強用の長繊維を含有する熱可塑性樹脂の成形品で構成されている。ここで、長繊維法とは、熱可塑性樹脂で被覆した同じ長さの繊維状の強化材を含むペレットを射出成形することによって、成形品を得るものである。この長繊維法によれば、成形品中に、例えば０．５ｍｍ以上の長さを有する比較的長い繊維状の強化材が含有される。このように、ジャックは、比較的長い補強用の長繊維を含有するので、合成樹脂で構成したジャックと比較して、非常に高い剛性を得ることができる。
【００２２】
その結果、ジャックを、必要な剛性を確保しながら、従来よりも軽量化することができる。その場合、鍵の離鍵に伴い、ジャックを、ハンマーの再度の突上げ可能な状態に迅速に復帰させることができるので、鍵のタッチ感に悪影響を及ぼすことなく、連打性を向上させることができ、表現力に優れた高い演奏性を実現することができる。
【００２３】
請求項７に係る発明は、請求項６に記載のピアノのアクションにおいて、長繊維は、炭素繊維であることを特徴とする。
【００２４】
アクションの可動部分にほこりが付着すると、その動きが鈍くなり、それにより、アクションの応答性が低下するおそれがある。また、一般に、炭素繊維は、他の補強用の長繊維、例えばガラス繊維よりも導電性が高い。したがって、上記のように、そのような炭素繊維を、ジャックを構成する熱可塑性樹脂に補強用の長繊維として含有させることによって、ジャックの導電性を高め、その帯電性を低減することができる。それにより、ジャックにほこりが付着するのを抑制することができるので、ジャックの動きおよび応答性を良好に保つことができる。また、ジャックへのほこりの付着の抑制により、ジャックの外観を良好に保つことができるとともに、アクションの調整作業などの際に、作業者の手や服が汚れるのを抑制することができる。
【００２５】
請求項８に係る発明は、請求項６または７に記載のピアノのアクションにおいて、熱可塑性樹脂は、ＡＢＳ樹脂であることを特徴とする。
【００２６】
ＡＢＳ樹脂は、樹脂の中でも成形収縮率が小さいため、熱可塑性樹脂としてＡＢＳ樹脂を用いることにより、加工精度を向上させることができ、ジャックごとの寸法のばらつきを抑制することができる。
【００２７】
また、一般に、炭素繊維などの強化材を含有した熱可塑性樹脂を射出成形する場合、そのメルトフローレートが大きいと、熱可塑性樹脂の金型内への流入速度が大きくなるために、強化材が成形品中に特定の方向に並びやすいことで、成形品の剛性に異方性が生じやすい。また、ＡＢＳ樹脂は、ゴム状重合体を含む熱可塑性樹脂であり、そのメルトフローレートは小さい。従って、ジャックを前述したようにＡＢＳ樹脂で構成することによって、ジャックの異方性を抑制できるので、高い剛性を安定して得ることができる。さらに、ＡＢＳ樹脂が持つ延性によって、ジャックの衝撃強度を高めることができる。
【発明を実施するための最良の形態】
【００２８】
以下、図面を参照しながら、本発明の好ましい実施形態について説明する。図１は、本発明の第１実施形態によるアップライトピアノのアクション１、鍵盤２およびハンマー３などを、離鍵状態において示している。この鍵盤２は、左右方向（図１の奥行方向）に並んだ多数の鍵４（１つのみ図示）によって構成されており、各鍵４は、前後方向（図１の右側を前側とする）のほぼ中央において、筬５に立設されたバランスピン５ａを支点として揺動自在に支持されている。
【００２９】
アクション１は、鍵盤２の後端部の上方において、筬５の左右の端部にそれぞれ設けられた左右のブラケット（いずれも図示せず）に取り付けられ、両ブラケットの間に延びるように設けられている。また、アクション１は、ウィッペン６やジャック７を有していて、これらは、鍵４ごとに設けられている（ともに１つのみ図示）。さらに、左右のブラケットの間には、センターレール１５およびハンマーレール１６などが渡されている。
【００３０】
ウィッペン６は、例えば合成樹脂によって所定の形状に形成されており、その前部から下方に延びるヒール部６ａを有していて、対応する鍵４の上面後端部に設けられたキャプスタンボタン４ａに、ヒール部６ａを介して載置されている。また、ウィッペン６は、その後端部において、上記センターレール１５に固定されたウィッペンフレンジ６ｂに、ピン状の支点６ｃを介して回動自在に取り付けられている。ウィッペン６の上面前端部には、バックチェックワイヤ１１ａが立設されていて、その先端部にバックチェック１１が取り付けられている。また、ウィッペン６の支点６ｃよりも後ろ側の部分には、後述するダンパー２１を駆動するためのスプーン１２が立設されている。
【００３１】
ジャック７は、長繊維法で形成されており、以下に述べるようなペレットを用いて射出成形することによって成形される。このペレットは、炭素繊維で構成されたロービングを、所定の張力を加えた状態で揃えながら、合成樹脂の一種で、ゴム状重合体を含む熱可塑性樹脂である、例えばＡＢＳ樹脂を押出機で押し出したもので被覆することによって成形される。これにより、ペレットの成形時に、炭素繊維のロービングを折ることなく、ペレットに含有させることができるので、ペレットには、それと等しい長さの炭素繊維が含有される。本実施形態では、ペレットの長さは、５〜１５ｍｍに設定されており、それにより、このペレットを用いて射出成形されたジャック７には、０．５〜２ｍｍの長さの炭素繊維が含有される。なお、上記のゴム状重合体のメルトフローレートは、比較的小さな値に設定されており、例えば２３０℃、２．１２ｋｇ荷重の試験条件で０．１〜５０ｇ／１０分の範囲に設定されている。
【００３２】
ジャック７は、以上のような長繊維法によってＬ字形に形成されており、図２に示すように、前後方向に延びるレギュレティングボタン当接部８と、レギュレティングボタン当接部８の後端部から上方に延びる、レギュレティングボタン当接部８よりも長いハンマー突上部９を有している。また、ジャック７は、レギュレティングボタン当接部８とハンマー突上部９との角部において、ウィッペン６の中央部に、ピン状のジャック支点１０を介して回動自在に取り付けられている。レギュレティングボタン当接部８の前端部は若干、上方に突出しており、その上端は、平坦面で構成されたレギュレティングボタン当接面８ａになっており、レギュレティングボタン当接面８ａの角度は、後述するような所定の角度に設定されている。また、ジャック７の左右の各側面には、軽量化のための凹部７ａが、ほぼ全面にわたって形成されている。また、ジャック７のレギュレティングボタン当接部８とウィッペン６の間には、離鍵時にジャック７を復帰回動させるためのジャックスプリング１３が設けられている。
【００３３】
さらに、ジャック７のレギュレティングボタン当接部８の上方には、レギュレティングボタン１７が設けられている。このレギュレティングボタン１７は、センターレール１５に設けられた複数のレギュレティングブラケット１８（１つのみ図示）と、その前端部に取り付けられ、左右方向に延びるレギュレティングレール１９を介して、鍵４ごとに設けられている。レギュレティングボタン１７の下端は、平坦面で構成されたジャック当接面１７ａになっており、離鍵状態では、ジャック７のレギュレティングボタン当接面８ａに対向している。ジャック当接面１７ａは、水平に対して所定の角度で若干前下がりに傾斜しており、これには、例えばフェルトで構成されたシート状のパンチング１７ｂ（緩衝材）が貼り付けられている。
【００３４】
前記ハンマー３は、バット３ａ、ハンマーシャンク３ｂ、およびハンマーヘッド３ｃを有している。このバット３ａは、センターレール１５に固定されたバットフレンジ３ｄに、ピン状の支点３ｅを介して回動自在に取り付けられており、それにより、ハンマー３は回動自在になっている。ハンマーシャンク３ｂは、バット３ａから上方に延びており、その上端部にハンマーヘッド３ｃが取り付けられている。離鍵状態では、ハンマーヘッド３ｃが鉛直に張られた後方の弦Ｓに対向している。バット３ａの前面には、キャッチャー３ｆが取り付けられており、キャッチャー３ｆは、離鍵状態では、前述したバックチェック１１の後方に位置し、これと対向している。また、バット３ａには、バットスプリング３ｇが設けられており、これにより、ハンマー３が図１の時計回りに付勢されている。離鍵状態では、前述したジャック７のハンマー突上部９がバット３ａに下方から係合している。
【００３５】
アクション１の後方には、ダンパー２１が鍵４ごとに設けられている（１つのみ図示）。ダンパー２１は、ダンパーフレンジ２１ａを介してセンターレール１５に回動自在に取り付けられたダンパーレバー２１ｂと、ダンパーレバー２１ｂの上側にダンパーワイヤ２１ｃを介して取り付けられたダンパーヘッド２１ｄと、ダンパーヘッド２１ｄを弦Ｓ側に付勢するダンパーレバースプリング２１ｅなどで構成されている。このダンパー２１は、離鍵時に、ダンパーレバースプリング２１ｅの付勢力によって、ダンパーヘッド２１ｄが弦Ｓに当接することにより止音するためのものである。
【００３６】
次に、上述したアクション１およびハンマー３などの押鍵の開始から終了までの一連の動作について説明する。演奏者により離鍵状態の鍵４が押鍵されると、鍵４は、図１の時計回りに回動し、その後端部に載置されたウィッペン６は、鍵４により突き上げられることによって、支点６ｃを中心として上方（反時計回り）に回動する。このウィッペン６の回動に伴い、ジャック７がウィッペン６と一緒に上方に移動し、ハンマー３は、ジャック７のハンマー突上部９により突き上げられることによって、後方の弦Ｓに向かって反時計回りに回動する。
【００３７】
そして、図３に示すように、ウィッペン６が所定角度、回動したときに、ジャック７のレギュレティングボタン当接部８がレギュレティングボタン１７に当接することによって、ジャック７の上方への移動が阻止される。この当接時には、図４に示すように、レギュレティングボタン当接面８ａは、その後端部においてジャック当接面１７ａにパンチング１７ｂを介して当接するとともに、ジャック当接面１７ａに対して近接した状態で斜めに延び、すなわち、ジャック当接面１７ａに対して微少な角度をもった状態で斜めに当接する。また、この当接によりパンチング１７ｂが圧縮されることによって、レギュレティングボタン当接面８ａの後部は、パンチング１７ｂを介してジャック当接面１７ａに面接触した状態になる。このように、レギュレティングボタン１７との当接時には、レギュレティングボタン当接面８ａのジャック支点１０側の部分が、ジャック当接面１７ａにパンチング１７ｂを介して面接触する。
【００３８】
そして、押鍵が進むのに伴って、ウィッペン６がさらに回動するのに従い、ジャック７は、レギュレティングボタン１７から反力が作用した状態で、レギュレティングボタン当接部８がパンチング１７ｂに沿って摺動しながら、ウィッペン６に対し、ジャックスプリング１３の付勢力に抗して時計回りに回動する。また、このジャック７の回動に伴い、ハンマー突上部９の上面が、バット３ａの下面に沿って前方に摺動する。
【００３９】
そして、ジャック７の回動量が所定量に達したときに、ハンマー突上部９がバット３ａから前方に外れ、ジャック７がハンマー３から離脱する。その後、ハンマー３は、慣性で回動して、弦Ｓを打弦し、演奏音を発生させる。また、このジャック７の離脱によって、鍵４のタッチ重さからハンマー３の重量分が急激に失われることにより、演奏者にレットオフ感が付与される。この打弦後、ハンマー３は、弦Ｓの反発力およびバットスプリング３ｇの付勢力によって時計回りに復帰回動し、キャッチャー３ｆがバックチェック１１に係止されることで、その動作が一旦、停止する。
【００４０】
そして、押鍵が終了し、鍵４が離鍵されると、鍵４およびウィッペン６は、押鍵時とは逆方向にそれぞれ回動する。このウィッペン６の復帰回動により、バックチェック１１がキャッチャー３ｆから離れることによって、ハンマー３が時計回りに回動し、ハンマーシャンク３ｂがハンマーレール１６に当接するようになる。また、ウィッペン６の復帰回動に伴って、ジャック７は、レギュレティングボタン１７との当接が解かれる結果、ジャックスプリング１３の付勢力によって、反時計回りに復帰回動する。その際、ジャック７は、軽量化されていることによって、ウィッペン６などの復帰回動に伴い、反時計回りに速やかに復帰回動する。この回動に伴い、ハンマー突上部９が、その上端の後ろ側の角部がバット３ａに当接した後、バット３ａの下面に沿って後方に摺動して、バット３ａの下側に入り込み、これと係合することによって、ジャック７は離鍵時の元の位置に復帰する。以上のようにして、鍵４、ウィッペン６、ハンマー３およびジャック７が元の離鍵状態に復帰し、押鍵時および離鍵時の一連の動作が終了する。
【００４１】
また、鍵４を連打する場合は、ハンマー３およびウィッペン６などが完全に離鍵状態に復帰する前に押鍵することが連続的に繰り返される。その場合も、ウィッペン６の復帰回動に伴い、ジャック７は、次回の押鍵までに反時計回りに速やかに復帰回動し、ハンマー３の突上げ可能な状態に迅速に復帰する。したがって、鍵４を連打した場合であっても、ジャック７は、押鍵に遅れることなく追随し、押鍵ごとに確実にハンマー３を突き上げることによって弦Ｓを打弦させる。
【００４２】
図５は、上述した本実施形態のアクション１における鍵４の押下量（「鍵押下量」と図示）とタッチ重さとの関係を、比較例とともに示している。この比較例は、前述した図９の従来技術のように、レギュレティングボタン当接面８ａを曲面で構成した場合の例を示している。
【００４３】
図５に示すように、本実施形態（実線で図示）および比較例（一点鎖線で図示）のいずれの場合にも、押鍵の開始からジャック７がレギュレティングボタン１７に当接するまでは（同図の区間Ａ）、タッチ重さは、鍵４、アクション１およびハンマー３のそれぞれの自重による支点５ａ、６ｃ、３ｅ回りのモーメントに応じた大きさで、ほぼ一定の状態になっている。
【００４４】
また、押鍵が進み、ジャック７がレギュレティングボタン１７に当接すると、上記のアクション１などの自重によるモーメントに加え、レギュレティングボタン１７からの反力が作用することによって、タッチ重さは急激に増大する（区間Ｂ、Ｂ’）。そして、ジャック７がハンマー３から外れると、タッチ重さは、ハンマー３の重量分が急激に失われることによって急激に減少する（区間Ｃ、Ｃ’）。この場合、比較例では、レギュレティングボタン当接面８ａが曲面で構成されているため、ジャック７がハンマー３から外れる直前でのレットオフ荷重Ｌ’およびレットオフ前後のタッチ重さの変化量ＤＬ’は、本実施形態の場合よりも小さい。鍵４の前端部が筬５のフロントレール（図示せず）に当接することによって、鍵４がそれ以上、回動不可能になり、押鍵が終了すると、タッチ重さは、筬５からの反力によって急激に増大する（区間Ｄ）。
【００４５】
これに対して、本実施形態のアクション１では、前述したように、レギュレティングボタン１７へのジャック７の当接時に、レギュレティングボタン当接面８ａのジャック支点１０側の部分が、ジャック当接面１７ａにパンチング１７ｂを介して面接触する。この面接触により大きな摩擦抵抗が確保されることと、レギュレティングボタン１７の反力の作用点がジャック支点１０の近くに位置することによって、この場合のレットオフ荷重Ｌは、比較例のレットオフ荷重Ｌ’よりも大きくなり、レットオフ前後のタッチ重さの変化量ＤＬも、比較例の変化量ＤＬ’よりも大きくなっている。以上のように、本実施形態によれば、レットオフ荷重およびレットオフ前後のタッチ重さの変化量を大きくすることによって、レットオフのタイミングを明確にすることができ、したがって、表現力に優れた高い演奏性を実現することができる。また、このような効果を、レギュレティングボタン当接面８ａおよびジャック当接面１７ａを平坦面で構成するという単純な構成によって得ることができる。
【００４６】
また、ジャック７が、樹脂の中でも成形収縮率の小さいＡＢＳ樹脂の成形品で構成されているので、ジャック７の加工精度を向上させることができ、レギュレティングボタン当接面８ａを所望の形状に精度良く容易に形成できるとともに、ジャック当接面１７ａとの位置や角度の関係も所望の関係に容易に設定することができる。また、ジャック７ごとの寸法のばらつきを抑制することができる。
【００４７】
また、ジャック７は、長繊維法で成形され、補強用の長繊維を含有しているので、非常に高い剛性を有している。それにより、必要な剛性を確保しながら、左右の凹部７ａ，７ａが形成されており、ジャック７は従来よりも軽量化されている。その結果、鍵４の離鍵に伴い、ジャック７自体を、ハンマー３の再度の突上げ可能な状態に速やかに復帰回動させることができる。
【００４８】
また、ジャック７が軽量化されていることにより、鍵４を連打する場合であっても、ジャック７は、次回の押鍵までに速やかに復帰回動し、ハンマー３の突上げ可能な状態に迅速に復帰する。したがって、速い連打であっても、ジャック７は、押鍵に遅れることなく追随し、押鍵ごとに確実にハンマー３を突き上げることによって弦Ｓを打弦させることができる。したがって、鍵４のタッチ感に悪影響を及ぼすことなく、鍵４の連打性を向上させることができ、表現力に優れた高い演奏性を実現することができる。なお、詳細は省略するが、本実施形態のジャック７は、長繊維を含有しない合成樹脂（例えばＡＢＳ樹脂）で構成され、同じ形状およびサイズの従来のジャックと比較して、０．０６５ｇほど軽量化されており、その結果、１．２回／秒ほど、連打性が向上することが確認された。
【００４９】
また、炭素繊維を、ＡＢＳ樹脂に補強用の長繊維として含有しているので、ジャック７の導電性が高められており、その帯電性を低減することができる。それにより、ジャック７にほこりが付着するのを抑制することができるので、ジャック７の動きおよびジャック７の応答性を良好に保つことができる。また、ジャック７へのほこりの付着の抑制により、ジャック７の外観を良好に保つことができるとともに、アクション１の調整作業などの際に、作業者の手や服が汚れるのを抑制することができる。
【００５０】
また、一般に、炭素繊維などの強化材を含有した熱可塑性樹脂を射出成形する場合、そのメルトフローレートが大きいと、熱可塑性樹脂の金型内への流入速度が大きくなるために、強化材が成形品中に特定の方向に並びやすいことで、成形品の剛性に異方性が生じやすい。これに対し、本実施形態では、ジャック７が、ゴム状重合体を含む熱可塑性樹脂であり、メルトフローレートの小さいＡＢＳ樹脂で構成されているので、ジャック７の異方性を抑制でき、高い剛性を安定して得ることができる。さらに、ＡＢＳ樹脂が持つ延性によって、ジャック７の衝撃強度を高めることができる。
【００５１】
次に、図６および図７を参照しながら、本発明の第２実施形態によるアクションについて説明する。このアクション３１は、基本的に第１実施形態のアクション１と同様の構成を有しており、ジャック７のハンマー突上部３２の構成のみが異なっている。このハンマー突上部３２の上面３２ａの後端部には、その左右方向の全体にわたって延びる突起３２ｂが設けられている。この突起３２ｂは、ほぼ三角形状で上面３２ａから上方に若干、突出しており、その頂部にはアールが付けられている。また、ハンマー突上部３２の突起３２ｂの後ろ側には、傾斜面３２ｃが形成されている。この傾斜面３２ｃは、突起３２ｂの頂部から、ハンマー突上部３２の上面３２ａに対して斜めに延び、ハンマー突上部３２の背面３２ｄに交わっている。
【００５２】
このように、ハンマー突上部３２の上面３２ａの後端部に突起３２ｂが設けられているので、押鍵時に、ジャック７がハンマー３から外れるレットオフの際に、この突起３２ｂが抵抗になることによって、ジャック７がハンマー３から外れ難くなる。これにより、レットオフ荷重がさらに大きくなることによって、レットオフのタイミングをさらに明確にすることができる。
【００５３】
また、ハンマー突上部３２の突起３２ｂの後ろ側に傾斜面３２ｃが形成されるとともに、この傾斜面３２ｃが突起３２ｂの頂部から背面３２ｄにわたって長く延びている。この傾斜面３２ｃにより、離鍵状態へのジャック７の復帰時、ハンマー突上部３２の上端の後ろ側の角部がバット３ａに当接した後に、ハンマー突上部３２を、バット３ａに引っかかることなく、その下側に円滑に入り込ませることができる。したがって、鍵４の連打性を向上させることができる。さらに、ジャック７が合成樹脂の成形品で構成されているので、ハンマー突上部３２の突起３２ｂや傾斜面３２ｃを所望の形状に精度よく容易に形成することができる。
【００５４】
次に、図８を参照しながら、本発明の第３実施形態によるアクションについて説明する。このアクションは、前述した第１実施形態のアクション１と比較して、レギュレティングボタン当接面４１の角度のみが異なっている。同図に示すように、レギュレティングボタン当接面４１の角度は、ジャック当接面１７ａとの当接時に、レギュレティングボタン当接面４１の全体がぴったり面接触するように設定されている。これにより、接触面積がより大きくなることによって、レギュレティングボタン当接部８とレギュレティングボタン１７との間に大きな摩擦抵抗が発生することで、レットオフを明確にすることができる。なお、この場合、パンチング１７ｂを省略することも可能である。
【００５５】
なお、本発明は、説明した実施形態に限定されることなく、種々の態様で実施することができる。例えば、実施形態では、レギュレティングボタン当接面８ａ，４１は、完全な平坦面で構成されているが、ジャック当接面１７ａとの十分な面接触を確保できる程度に、若干曲がっていてもよい。また、実施形態では、パンチング１７ｂを、ジャック当接面１７ａに取り付けたが、これに代えて、またはこれとともに、レギュレティングボタン当接面８ａ，４１に取り付けてもよい。さらに、第２実施形態では、突起３２ｂを、ハンマー突上部３２の上面３２ａの左右方向の全体にわたって形成したが、部分的に形成してもよく、また、そのような突起を複数、形成してもよい。
【００５６】
また、実施形態では、ジャック７が高い剛性を有していることから、ジャック７を軽量化し、離鍵に伴い速やかに復帰回動させることにより、連打性を向上させているが、ジャック７が軽量化されていることによって、鍵４のタッチ重さが小さくなっているので、その分、ハンマー３のバットスプリング３ｇのばね力を高めることにより、ジャック７だけでなくハンマー３の復帰回動速度も速くすることによって、連打性をより向上させてもよい。また、実施形態は、本発明をアップライトピアノのアクションに適用した例であるが、本発明はこれに限らず、グランドピアノのアクションにも適用可能である。その他、本発明の趣旨の範囲内で、細部の構成を適宜、変更することが可能である。
【図面の簡単な説明】
【００５７】
【図１】本発明の第１実施形態によるアクションなどを離鍵状態において示す側面図である。
【図２】図１のアクションのジャックなどを離鍵状態において示す部分拡大図である。
【図３】図１のアクションのジャックなどを、レギュレティングボタン当接面がジャック当接面にパンチングを介して当接したときにおいて示す側面図である。
【図４】図３の部分拡大図である。
【図５】図１のアクションを用いた場合の鍵の押下量とタッチ重さとの関係を比較例とともに示す図である。
【図６】第２実施形態によるアクションのジャックなどを離鍵状態において示す側面図である。
【図７】図６のハンマー突上部の部分拡大図である。
【図８】第３実施形態によるアクションのジャックなどを、レギュレティングボタン当接面がジャック当接面にパンチングを介して当接したときにおいて示す部分拡大側面図である。
【図９】従来のアクションの主要部分などを離鍵状態において示す側面図である。
【符号の説明】
【００５８】
１  アクション
３  ハンマー
４  鍵
６  ウィッペン
７  ジャック
８  レギュレティングボタン当接部
８ａ  レギュレティングボタン当接面
１０  ジャック支点
１７  レギュレティングボタン
１７ａ  ジャック当接面
１７ｂ  パンチング（緩衝材）
３１  アクション
３２  ハンマー突上部
３２ａ  上面
３２ｂ  突起
４１  レギュレティングボタン当接面
【図１】
2006285175.tif 000003
【図２】
2006285175.tif 000004
【図３】
2006285175.tif 000005
【図４】
2006285175.tif 000006
【図５】
2006285175.tif 000007
【図６】
2006285175.tif 000008
【図７】
2006285175.tif 000009
【図８】
2006285175.tif 000010
【図９】
2006285175.tif 000011